(57)【要約】【課題】インターネットラジオ番組を聴取する際の操作が煩雑化するのを抑制することが可能なインターネットラジオ機能を有する電子機器を提供する。【解決手段】このインターネットラジオ装置１は、インターネットラジオ番組の配信サーバ９０からインターネット７０を介してインターネットラジオ番組の音声データを受信する受信部１２と、受信部１２により受信されたインターネットラジオ番組の音声データを出力するスピーカー３と、電気機器とＬＡＮケーブル５０を介して接続され、電気機器の状態に応じて、インターネットラジオ番組の配信サーバ９０からインターネットラジオ番組の音声データを受信するように受信部１２を制御する制御部１０とを備える。【選択図】図２
2010271432.tif 000002
【特許請求の範囲】
【請求項１】
インターネットラジオ番組の配信サーバからインターネットを介してインターネットラジオ番組の音声データを受信する受信部と、
前記受信部により受信されたインターネットラジオ番組の音声データを出力する出力部と、
所定の電気機器とネットワークを介して接続され、前記所定の電気機器の状態に応じて、前記インターネットラジオ番組の配信サーバからインターネットラジオ番組の音声データを受信するように前記受信部を制御する制御部とを備えた、インターネットラジオ機能を有する電子機器。
【請求項２】
前記制御部は、前記所定の電気機器の状態と対応するように予め設定された検索条件に基づいて、前記配信サーバに含まれるインターネットラジオ番組を検索した検索結果に対応するインターネットラジオ番組の音声データを受信するように、前記受信部を制御するように構成されている、請求項１に記載のインターネットラジオ機能を有する電子機器。
【請求項３】
前記制御部は、前記所定の電気機器に対して前記所定の電気機器の電源がオン状態であるかオフ状態であるかを所定の時間間隔で確認するように構成され、前記所定の電気機器の電源がオフ状態である場合には、前記出力部による音声データの出力を停止させる制御を行うように構成されている、請求項１または２に記載のインターネットラジオ機能を有する電子機器。
【請求項４】
前記受信部をローカルエリアネットワークに接続するためのＬＡＮ接続部をさらに備え、
前記ＬＡＮ接続部は、ローカルエリアネットワークを介して前記所定の電気機器と接続されている、請求項３に記載のインターネットラジオ機能を有する電子機器。
【請求項５】
ディスク駆動部と、
インターネットラジオ番組の配信サーバからインターネットを介してインターネットラジオ番組の音声データを受信する受信部と、
前記ディスク駆動部により再生されたデータを表示装置に出力するとともに、前記受信部によりインターネットを介して配信サーバから受信されたインターネットラジオ番組の音声データを出力する出力部と、
所定の電気機器とネットワークを介して接続され、前記所定の電気機器の状態に応じて、前記インターネットラジオ番組の配信サーバからインターネットラジオ番組の音声データを受信するように前記受信部を制御する制御部とを備えた、インターネットラジオ機能を有するディスク装置。
【発明の詳細な説明】
【技術分野】
【０００１】
この発明は、インターネットラジオ機能を有する電子機器およびディスク装置に関する。
【背景技術】
【０００２】
従来、インターネットラジオ機能を有する電子機器などが知られている（たとえば、特許文献１〜３参照）。
【０００３】
上記特許文献１では、インターネットラジオ放送局の配信サーバから配信されたインターネットラジオ番組のオーディオデータファイル（音声データ）を受信するネットワークコントローラ（受信部）と、インターネットラジオ番組のオーディオデータファイルを出力するスピーカ（出力部）と、インターネットラジオ放送局の放送局名を表示する表示部と、ＣＰＵとを備えた受信装置（電子機器）が開示されている。この受信装置のＣＰＵは、インターネットラジオ番組のオーディオデータファイルを受信する際に、インターネットラジオ放送局の放送局リストを取得要求する信号をポータルサイト（検索用サーバ）にネットワークコントローラを介して送信し、放送局リストがネットワークコントローラに受信されると、放送局リストを表示するように表示部を制御する。そして、表示部に表示された放送局リストの中から１つのインターネットラジオ放送局がユーザの操作により選択されて、このインターネットラジオ放送局からオーディオデータファイルが受信される。これにより、インターネットラジオ番組の聴取が可能となる。
【０００４】
また、上記特許文献２では、ネットワークと接続された照明などの電気機器を含む複数のスレーブ装置の動作状態を設定可能な状態設定部と、状態設定部および複数のスレーブ装置とネットワークを介して接続され、スレーブ装置の動作状態をユーザにより識別可能なマスター装置とを備えた状態設定装置が開示されている。この状態設定装置の状態設定部には、スレーブ装置の１つとしてインターネットラジオ装置が接続されており、インターネットラジオ装置は、状態設定部をユーザが操作することによりインターネットラジオ番組の選局が可能となる。
【０００５】
また、上記特許文献３では、インターネットを介してインターネットラジオのコンテンツを取得するＰＣサーバと、ＰＣサーバにローカルエリアネットワークを介して接続されるＣＤプレイヤとを備えたネットワークシステムが開示されている。このネットワークシステムのＣＤプレイヤは、ユーザによりインターネットラジオのコンテンツに対応する配信サーバのＵＲＬのキー入力が可能なように構成されているとともに、ＰＣサーバを介してインターネットラジオのコンテンツをＣＤプレイヤに取込可能に構成されている。
【先行技術文献】
【特許文献】
【０００６】
【特許文献１】特開２００６−３１１９７号公報
【特許文献２】特開２００７−１３９０３号公報
【特許文献３】特開２００４−３３３６７４号公報
【発明の概要】
【発明が解決しようとする課題】
【０００７】
しかしながら、上記特許文献１による受信装置（電子機器）では、ユーザは、インターネットラジオ放送（番組）を聴取する毎に、表示部に表示された放送局リストから１つのインターネットラジオ放送局を選択する必要がある。特に、インターネットラジオの番組は、通常のラジオ電波による番組と異なり、非常に多くの番組が存在するので、非常に多くのインターネットラジオ番組の中から好みの番組を選択する操作は、ユーザにとって煩雑になりやすいという問題点がある。
【０００８】
また、上記特許文献２による状態設定装置では、インターネットラジオ装置によりインターネットラジオ番組を聴取するために、マスター装置および状態設定部を操作して、聴取するインターネットラジオ番組をユーザが選択する必要がある。この場合、インターネットラジオ番組を聴取する際の操作がユーザにとって煩雑になりやすいという問題点がある。
【０００９】
また、上記特許文献３によるネットワークシステムでは、ユーザは、ＣＤプレイヤによりインターネットラジオ番組を聴取する際に、インターネットラジオ番組を有する配信サーバのＵＲＬをキー入力する必要がある。この場合も、インターネットラジオ番組を聴取するための操作がユーザにとって煩雑であるという問題点がある。
【００１０】
この発明は、上記のような課題を解決するためになされたものであり、この発明の１つの目的は、インターネットラジオ番組を聴取する際の操作が煩雑化するのを抑制することが可能なインターネットラジオ機能を有する電子機器およびディスク装置を提供することである。
【課題を解決するための手段および発明の効果】
【００１１】
この発明の第１の局面によるインターネットラジオ機能を有する電子機器は、インターネットラジオ番組の配信サーバからインターネットを介してインターネットラジオ番組の音声データを受信する受信部と、受信部により受信されたインターネットラジオ番組の音声データを出力する出力部と、所定の電気機器とネットワークを介して接続され、所定の電気機器の状態に応じて、インターネットラジオ番組の配信サーバからインターネットラジオ番組の音声データを受信するように受信部を制御する制御部とを備える。
【００１２】
この発明の第１の局面によるインターネットラジオ機能を有する電子機器では、上記のように、所定の電気機器とネットワークを介して接続され、所定の電気機器の状態に応じて、インターネットラジオ番組の配信サーバからインターネットラジオ番組の音声データを受信するように受信部を制御する制御部を設けることによって、所定の電気機器の状態に応じてインターネットラジオ番組の音声データを自動的に出力することができるので、ユーザは、数多くのインターネットラジオ番組の中から特定の番組を選択する必要がない。その結果、インターネットラジオ番組を聴取する際の操作が煩雑化するのを抑制することができる。
【００１３】
上記第１の局面によるインターネットラジオ機能を有する電子機器において、好ましくは、制御部は、所定の電気機器の状態と対応するように予め設定された検索条件に基づいて、配信サーバに含まれるインターネットラジオ番組を検索した検索結果に対応するインターネットラジオ番組の音声データを受信するように、受信部を制御するように構成されている。このように構成すれば、所定の電気機器の状態と対応するように予め設定された検索条件に基づいて、自動的に検索結果に対応するインターネットラジオ番組の音声データを受信部に受信させることができる。これにより、ユーザは、電気機器を使用する際に電源を入れるだけで、使用する電気機器の状態に対応する検索条件に基づいたインターネットラジオ番組を聴取することができる。
【００１４】
上記第１の局面によるインターネットラジオ機能を有する電子機器において、好ましくは、制御部は、所定の電気機器に対して所定の電気機器の電源がオン状態であるかオフ状態であるかを所定の時間間隔で確認するように構成され、所定の電気機器の電源がオフ状態である場合には、出力部による音声データの出力を停止させる制御を行うように構成されている。このように構成すれば、制御部に接続される電気機器の電源がオフ状態になった場合に、容易に、インターネットラジオ番組の出力を停止することができる。
【００１５】
上記第１の局面によるインターネットラジオ機能を有する電子機器において、好ましくは、受信部をローカルエリアネットワークに接続するためのＬＡＮ接続部をさらに備え、ＬＡＮ接続部は、ローカルエリアネットワークを介して所定の電気機器と接続されている。このように構成すれば、ＬＡＮ接続部およびローカルエリアネットワークを介して、制御部と電気機器とを、容易に、相互通信可能に接続することができる。
【００１６】
この発明の第２の局面におけるインターネットラジオ機能を有するディスク装置は、ディスク駆動部と、インターネットラジオ番組の配信サーバからインターネットを介してインターネットラジオ番組の音声データを受信する受信部と、ディスク駆動部により再生されたデータを表示装置に出力するとともに、受信部によりインターネットを介して配信サーバから受信されたインターネットラジオ番組の音声データを出力する出力部と、所定の電気機器とネットワークを介して接続され、所定の電気機器の状態に応じて、インターネットラジオ番組の配信サーバからインターネットラジオ番組の音声データを受信するように受信部を制御する制御部とを備える。
【００１７】
この発明の第２の局面におけるインターネットラジオ機能を有するディスク装置では、上記のように、所定の電気機器とネットワークを介して接続され、所定の電気機器の状態に応じて、インターネットラジオ番組の配信サーバからインターネットラジオ番組の音声データを受信するように受信部を制御する制御部を設けることによって、所定の電気機器の状態に応じてインターネットラジオ番組の音声データを自動的に出力することができるので、ユーザは、数多くのインターネットラジオ番組の中から特定の番組を選択する必要がない。その結果、インターネットラジオ番組を聴取する際の操作が煩雑化するのを抑制することができる。
【図面の簡単な説明】
【００１８】
【図１】本発明の第１実施形態によるインターネットラジオ装置の全体構成を示した斜視図である。
【図２】図１に示した第１実施形態によるインターネットラジオ装置の構成を示したブロック図である。
【図３】図１に示した第１実施形態によるインターネットラジオ装置における照明と検索条件とを対応させる設定を行うメニュー画面を説明するための図である。
【図４】図１に示した第１実施形態によるインターネットラジオ装置におけるエアコンと検索条件とを対応させる設定を行うメニュー画面を説明するための図である。
【図５】図１に示した第１実施形態によるインターネットラジオ装置の制御部の動作を説明するためのフローチャートである。
【図６】本発明の第２実施形態によるディスク装置の全体構成を説明するための図である。
【図７】図６に示した第２実施形態によるディスク装置の構成を説明するためのブロック図である。
【発明を実施するための形態】
【００１９】
以下、本発明を具体化した実施形態を図面に基づいて説明する。
【００２０】
（第１実施形態）
図１〜図３を参照して、まず、本発明の第１実施形態によるインターネットラジオ装置１の構成を説明する。なお、第１実施形態では、本発明のインターネットラジオ機能を有する電子機器の一例として、インターネットラジオ装置１について説明する。
【００２１】
本発明の第１実施形態によるインターネットラジオ装置１は、図１に示すように、筐体２と、筐体２の前面に配置されるスピーカー３と、ＬＣＤからなる表示部４と、操作キー５と、音量調整部６と、電源ボタン７とにより構成されている。なお、スピーカー３は、本発明の「出力部」の一例である。このスピーカー３は、インターネットラジオ番組を出力するために設けられている。この点については、後に詳しく説明する。また、操作キー５は、上キー５ａと、下キー５ｂと、左キー５ｃと、右キー５ｄと、決定キー５ｅとを含んでいる。
【００２２】
ここで、第１実施形態では、図２に示すように、インターネットラジオ装置１は、スピーカー３、表示部４および操作キー５と接続される制御部１０を備えている。この制御部１０には、メモリ１１と、受信部１２と、送信部１３と、音声データ処理部１４とが接続されている。受信部１２と送信部１３とは、ＬＡＮ接続部１５を介してＬＡＮケーブル５０ａに接続されている。このＬＡＮケーブル５０ａは、台所照明２０のＬＡＮ接続部２０ａ、電子レンジ２１のＬＡＮ接続部２１ａ、エアコン２２のＬＡＮ接続部２２ａおよび電気カーペット２３のＬＡＮ接続部２３ａなどの家庭電気製品と、ルータ３０のＬＡＮポート３０ａとにも接続されている。また、ルータ３０のＬＡＮポート３０ｂには、ＬＡＮケーブル５０ｂを介してパソコン２４のＬＡＮポート２４ａと接続されている。これらインターネットラジオ装置１、台所照明２０、電子レンジ２１、エアコン２２、電気カーペット２３、パソコン２４およびルータ３０と、これらを接続するＬＡＮケーブル５０ａおよび５０ｂとによりローカルエリアネットワーク（ＬＡＮ）６０が構成されている。このローカルエリアネットワーク６０内の各機器は、ＬＡＮケーブル５０ａおよび５０ｂにより相互通信可能に接続されている。なお、音声データ処理部１４は、本発明の「出力部」の一例である。また、台所照明２０、電子レンジ２１、エアコン２２および電気カーペット２３は、本発明の「電気機器」の一例である。
【００２３】
また、ルータ３０は、インターネット７０を介して、データベースサーバ８０およびインターネットラジオ番組を配信する複数の配信サーバ９０（９０ａ、９０ｂおよび９０ｃ）に接続されている。データベースサーバ８０は、インターネットラジオ番組を配信可能な複数の配信サーバ９０（９０ａ、９０ｂおよび９０ｃ）のＵＲＬを記憶するデータベースを有している。これにより、インターネットラジオ装置１およびパソコン２４からデータベースサーバ８０にアクセスすることにより、インターネットラジオ番組を配信可能な配信サーバ９０を検索することが可能となる。なお、インターネットラジオ番組は、インターネット７０を介して音声データとして配信可能であるので、通常のラジオ電波を介して放送される通常のラジオ番組よりも作成が容易である。このため、インターネットラジオ番組を配信可能な配信サーバ９０は、一般的なラジオ番組を放送する放送局よりもはるかに多く存在しているため、データベースサーバ８０には、数多くのインターネットラジオ番組を配信可能な配信サーバ９０のＵＲＬが記憶されている。
【００２４】
また、第１実施形態では、台所照明２０、電子レンジ２１、エアコン２２および電気カーペット２３は、それぞれ、ＬＡＮ接続部２０ａ、２１ａ、２２ａおよび２３ａを含んでいる。また、台所照明２０、電子レンジ２１、エアコン２２および電気カーペット２３は、それぞれ、制御部２０ｂ、２１ｂ、２２ｂおよび２３ｂと、メモリ２０ｃ、２１ｃ、２２ｃおよび２３ｃとをさらに含んでいる。制御部２０ｂ、２１ｂ、２２ｂおよび２３ｂは、インターネットラジオ装置１の制御部１０とＬＡＮケーブル５０ａを介して相互通信可能に構成されている。また、メモリ２０ｃ、２１ｃ、２２ｃおよび２３ｃには、台所照明２０、電子レンジ２１、エアコン２２および電気カーペット２３のそれぞれの製品情報が含まれている。また、メモリ２０ｃ、２１ｃ、２２ｃおよび２３ｃには、制御部２０ｂ、２１ｂ、２２ｂおよび２３ｂをインターネットラジオ装置１と通信するためのソフトウェアがさらに格納されている。これにより、台所照明２０、電子レンジ２１、エアコン２２および電気カーペット２３が、ＬＡＮケーブル５０ａを介してインターネットラジオ装置１と接続された際に、インターネットラジオ装置１の制御部１０は、台所照明２０、電子レンジ２１、エアコン２２および電気カーペット２３の各製品情報を認識することが可能となる。さらに、台所照明２０、電子レンジ２１、エアコン２２および電気カーペット２３は、各々の状態を示す情報を、ＬＡＮケーブル５０ａを介して、インターネットラジオ装置１に送信することが可能となる。また、パソコン２４は、ＬＡＮポート２４ａと制御部２４ｂとメモリ２４ｃとを含んでいる。
【００２５】
また、受信部１２は、ＬＡＮ接続部１５、ＬＡＮケーブル５０ａ、ルータ３０およびインターネット７０を介してデータベースサーバ８０および配信サーバ９０からデータを受信するように構成されている。具体的には、受信部１２は、データベースサーバ８０から、インターネットラジオ番組を配信可能な配信サーバ９０のＵＲＬを受信するように構成されている。また、受信部１２は、配信サーバ９０からインターネットラジオ番組の音声データを受信するように構成されている。また、受信部１２は、ＬＡＮケーブル５０ａを介して、台所照明２０、電子レンジ２１、エアコン２２および電気カーペット２３からそれぞれの状態を示す情報を受信するように構成されている。
【００２６】
また、送信部１３は、ＬＡＮ接続部１５、ＬＡＮケーブル５０ａ、ルータ３０およびインターネット７０を介してデータベースサーバ８０および配信サーバ９０に対して信号を送信するように構成されている。具体的には、送信部１３は、データベースサーバ８０に対して、ユーザが所望するインターネットラジオ番組を検索する際に、キーワード（検索条件）を送信するように構成されている。また、送信部１３は、配信サーバ９０に対して、インターネットラジオ番組の音声データを取得要求する信号を送信するとともに、配信停止を要求する信号を送信するように構成されている。また、送信部１３は、台所照明２０、電子レンジ２１、エアコン２２および電気カーペット２３に対して、各々の電源がオン状態かオフ状態かを確認するための電源確認信号を約３０秒間隔で送信するように構成されている。なお、制御部１０は、台所照明２０、電子レンジ２１、エアコン２２および電気カーペット２３から電源確認信号に対する応答信号が受信部１２により受信された場合、電源がオン状態のまま維持されていると判断するとともに、応答信号が受信されない場合に電源がオフ状態になったと判断するように構成されている。
【００２７】
また、音声データ処理部１４は、受信部１２により受信されるインターネットラジオ番組の音声データをスピーカー３により出力可能なように、デコード（復号）する機能を有するとともに、デジタルデータである音声データをアナログデータに変換するＤ／Ａ変換機能を有している。
【００２８】
また、メモリ１１には、受信部１２および音声データ処理部１４が接続されている。また、制御部１０は、受信部１２により受信された音声データを音声データ処理部１４により出力される前に一時的にメモリ１１にバッファ（蓄積）するとともに、バッファされた音声データを、音声データ処理部１４により出力されるデータ量だけ連続的に音声データをメモリ１１から音声データ処理部１４に移すように構成されている。これにより、配信サーバ９０から受信部１２により音声データを受信しながら、リアルタイムでスピーカー３に出力させることが可能となる。
【００２９】
また、メモリ１１には、ユーザが予め制御部１０と接続される電気機器（台所照明２０、電子レンジ２１、エアコン２２および電気カーペット２３）の状態とインターネットラジオ番組の検索条件（キーワード）とを対応させて設定を行うためのテーブルが記憶されている。制御部１０は、図３に示すように、電気機器（台所照明２０、電子レンジ２１、エアコン２２および電気カーペット２３）が接続されている場合には、電気機器からの信号に基づいて、「接続機器」の欄に電気機器名を表示し、「再生条件」の欄に接続機器に対応する状態を表示するように構成されている。また、メモリ１１には、インターネットラジオ番組の検索条件（キーワード）として、「歌謡曲」、「ロック」、「クラシック」、「ジャズ」および「ニュース」といった検索条件（キーワード）が記憶されている。
【００３０】
次に、図１〜図４を参照して、本発明の第１実施形態のインターネットラジオ装置１における電気機器の動作状態とインターネットラジオ番組の検索条件とを対応させるユーザによる設定動作について説明する。
【００３１】
まず、台所照明２０（図２参照）の再生条件としての電源オン時の明るさ１〜３に対応してインターネットラジオ番組の検索条件（キーワード）をユーザが設定する場合に、図３に示すように、「接続機器」の欄において、上キー５ａ（図１参照）および下キー５ｂ（図１参照）を押圧することによりカーソル４０を移動させる。これにより、カーソル４０を項目「台所照明」に合わせるとともに、この状態で決定キー５ｅ（図１参照）が押圧されることにより台所照明２０の設定が行われる。この場合、台所照明２０に対応する動作状態が「再生条件」の欄に表示され、この「再生条件」の欄に表示された項目「電源オン（明るさ３）」、項目「電源オン（明るさ２）」および項目「電源オン（明るさ１）」の中から、インターネットラジオ番組の検索条件に対応させる台所照明２０の動作状態（明るさ）がカーソル４１を用いてユーザにより決定される。さらに、項目「状態設定」に対応させるインターネットラジオ番組の検索条件（キーワード）が「検索条件」の欄に表示された項目「歌謡曲」、項目「ロック」、項目「クラシック」、項目「ジャズ」および項目「ニュース」の中からカーソル４２を用いてユーザにより選択される。
【００３２】
次に、エアコン２２（図２参照）の再生条件としての電源オン時の動作状態に対応してインターネットラジオ番組の検索条件（キーワード）をユーザが設定する場合に、図４に示すように、「接続機器」の欄において、カーソル４０を項目「エアコン」に合わせるとともに、この状態で決定キー５ｅ（図１参照）が押圧されることによりエアコン２２の設定が行われる。この場合、エアコン２２に対応する動作状態が「再生条件」の欄に表示され、この「再生条件」の欄に表示された項目「電源オン（暖房）」、項目「電源オン（冷房）」、項目「電源オン（除湿）」および「電源オン（送風）」の中から、インターネットラジオ番組の検索条件に対応させるエアコン２２の動作状態がカーソル４１を用いてユーザにより決定される。さらに、項目「状態設定」に対応させるインターネットラジオ番組の検索条件（キーワード）が「検索条件」の欄に表示された項目「歌謡曲」、項目「ロック」、項目「クラシック」、項目「ジャズ」および項目「ニュース」の中からカーソル４２を用いてユーザにより選択される。
【００３３】
次に、図２および図５を参照して、本発明の第１実施形態におけるインターネットラジオ装置１の制御動作を説明する。なお、この第１実施形態におけるインターネットラジオ装置１の制御動作では、ＬＡＮケーブル５０ａを介してインターネットラジオ装置１と接続された電気機器の一例として台所照明２０の電源がオン状態になった場合についてのインターネットラジオ装置１の動作について説明する。
【００３４】
まず、ステップＳ１において、制御部１０（図２参照）により、台所照明２０（図２参照）から電源がオン状態になったことを示す信号が受信部１２（図２参照）により受信されたか否かが判断される。そして、ステップＳ１において、台所照明２０から再生条件としての電源がオン状態になったことを示す信号が受信部１２により受信されたと判断された場合、ステップＳ２に移行する。なお、ステップＳ１において、台所照明２０から電源がオン状態になったことを示す信号が受信部１２により受信されていないと判断された場合には、台所照明２０の電源がオフ状態のままであると判断して、待機状態となり、ステップＳ１の判断が繰り返される。
【００３５】
そして、ステップＳ２において、台所照明２０の動作状態（明るさ）に対応するインターネットラジオ番組の検索条件が予め設定されているか否かが判断される。そして、ステップＳ２において、台所照明２０の動作状態に対応するインターネットラジオ番組の検索条件が設定されていると判断された場合には、ステップＳ３に移行する。また、ステップＳ２において、台所照明２０の動作状態に対応する検索条件が設定されていないと判断された場合には、処理が終了される。
【００３６】
そして、ステップＳ３において、予め設定された台所照明２０の動作状態（明るさ）に対応するインターネットラジオ番組の検索条件をデータベースサーバ８０に送信するように送信部１３が制御される。そして、検索条件を受信したデータベースサーバ８０は、インターネットラジオ番組を配信可能な複数の配信サーバから、検索条件に適合する配信サーバ９０を検索するとともに、検索結果（ＵＲＬ）をインターネットラジオ装置１に送信する。
【００３７】
そして、ステップＳ４に移行して、データベースサーバ８０から所定の配信サーバ９０（９０ａ）の検索結果（ＵＲＬ）が受信部１２により受信されたか否かが判断される。そして、ステップＳ４において、データベースサーバ８０からの検索結果が受信部１２により受信されたと判断された場合には、ステップＳ５に移行する。また、ステップＳ４において、データベースサーバ８０から検索結果が受信部１２により受信されていないと判断された場合には、検索結果が受信されたと判断されるまでこのステップＳ４の判断が繰り返される。
【００３８】
そして、ステップＳ５において、受信部１２により受信された検索結果に基づいて選択された所定の配信サーバ９０（９０ａ）に、インターネットラジオ番組の音声データの取得信号を送信するように送信部１３が制御される。このとき、インターネットラジオ装置１からインターネットラジオ番組の音声データの取得信号を受信した所定の配信サーバ９０（９０ａ）により、インターネットラジオ番組の音声データが送信される。
【００３９】
そして、ステップＳ６に移行して、所定の配信サーバ９０（９０ａ）からインターネットラジオ番組の音声データが受信部１２により受信されたか否かが判断される。ステップＳ６において、所定の配信サーバ９０（９０ａ）からインターネットラジオ番組の音声データが受信部１２により受信されたと判断された場合には、ステップＳ７に移行する。また、ステップＳ６において、所定の配信サーバ９０（９０ａ）からインターネットラジオ番組の音声データが受信部１２により受信されていないと判断された場合には、音声データが受信されたと判断されるまでこのステップＳ６の判断が繰り返される。
【００４０】
そして、ステップＳ７に移行して、受信部１２により受信されたインターネットラジオ番組の音声データが音声データ処理部１４によりデコード（復号）されるとともに、Ｄ／Ａ変換され、スピーカー３により出力（再生）される。
【００４１】
そして、ステップＳ８に移行して、台所照明２０の状態（明るさ）が変化したことを示す信号が受信部１２により受信されたか否かが判断される。そして、ステップＳ８において、台所照明２０の状態が変化したことを示す信号が受信部１２により受信されたと判断された場合には、ステップＳ９に移行する。なお、ステップＳ８において、台所照明２０の状態（明るさ）が変化したことを示す信号が受信部１２により受信されていないと判断された場合には、インターネットラジオ番組の音声データがスピーカー３に出力され続けるとともに、このステップＳ８の判断が繰り返される。
【００４２】
そして、ステップＳ９に移行して、台所照明２０の電源がオフ状態か否かが判断される。このステップＳ９の判断は、台所照明２０に対して送信部１３から送信される電源がオン状態かオフ状態かを確認するための電源確認信号に対して、台所照明２０から受信部１２に対して電源確認信号の応答があったか否かに基づいて応答信号がなかった場合に台所照明２０の電源がオフであると判断される。そして、ステップＳ９において、台所照明２０の電源がオフ状態であると判断された場合には、ステップＳ１０に移行する。また、ステップＳ９において、台所照明２０の電源がオン状態であると判断された場合には、台所照明２０の明るさが切り換えられたと判断し、ステップＳ４に戻り、送信部１３が台所照明２０の状態（明るさ）に対応する検索条件をデータベースサーバ８０に対して送信するように制御される。
【００４３】
そして、ステップＳ１０に移行して、所定の配信サーバ９０（９０ａ）に対してインターネットラジオ番組の音声データの配信の停止信号を送信するように送信部１３が制御される。そして、ステップＳ１１において、インターネットラジオ番組の音声データの出力を停止する制御が音声データ処理部１４に対して行われ、処理が終了される。
【００４４】
第１実施形態では、上記のように、電気機器（台所照明２０、電子レンジ２１、エアコン２２および電気カーペット２３）とＬＡＮケーブル５０ａを介して接続され、インターネットラジオ装置１に接続された電気機器の状態に応じて、インターネットラジオ番組の配信サーバ９０からインターネットラジオ番組の音声データを受信するように受信部１２を制御する制御部１０を設けることによって、所定の電気機器の状態に応じてインターネットラジオ番組の音声データを自動的に出力することができるので、ユーザは、数多くのインターネットラジオ番組の中から特定の番組を選択する必要がない。その結果、インターネットラジオ番組を聴取する際の操作が煩雑化するのを抑制することができる。
【００４５】
また、第１実施形態では、上記のように、制御部１０を、制御部１０に接続される電気機器の状態と対応するように予め設定された検索条件に基づいて配信サーバ９０に含まれるインターネットラジオ番組を検索した検索結果に対応するインターネットラジオ番組の音声データを受信するように受信部１２を制御するように構成することによって、制御部１０に接続される電気機器の状態と対応するように予め設定された検索条件に基づいて、自動的に検索結果に対応するインターネットラジオ番組の音声データを受信部１２に受信させることができる。これにより、ユーザは、インターネットラジオ装置１と接続される電気機器を使用する際に電源を入れるだけで、使用する電気機器の状態に対応する検索条件に基づいたインターネットラジオ番組を聴取することができる。
【００４６】
また、第１実施形態では、上記のように、制御部１０を、制御部１０に接続される電気機器に対して電気機器の電源がオン状態であるかオフ状態であるかを所定の時間間隔で確認するように構成するとともに、制御部１０に接続される電気機器の電源がオフ状態である場合には、スピーカー３による音声データの出力を停止させる制御を行うように構成することによって、制御部１０に接続される電気機器の電源がオフ状態になった場合に、容易に、インターネットラジオ番組の出力を停止することができる。
【００４７】
また、第１実施形態では、上記のように、受信部１２をローカルエリアネットワーク６０に接続するためのＬＡＮ接続部１５をさらに備え、ＬＡＮ接続部１５は、ローカルエリアネットワーク６０を介して電気機器と接続することによって、ＬＡＮ接続部１５およびローカルエリアネットワーク６０を介して、制御部１０と電気機器とを、容易に、相互通信可能に接続することができる。
【００４８】
（第２実施形態）
次に、図６および図７を参照して、本発明の第２実施形態におけるインターネットラジオ機能を有するＤＶＤ録画再生装置１０１の構成を説明する。なお、第２実施形態では、本発明のディスク装置の一例として、ＤＶＤ録画再生装置１０１について説明する。この第２実施形態では、上記第１実施形態とは異なり、ＤＶＤ録画再生装置１０１にインターネットラジオ部２００を内蔵する例について説明する。
【００４９】
本発明の第２実施形態におけるＤＶＤ録画再生装置１０１は、図６に示すように、ディスクローダ１０２と、受光部１０３とを備えている。また、ＤＶＤ録画再生装置１０１は、リモコン１５０により操作可能に構成されており、リモコン１５０からの操作信号を受光部１０３により受光するように構成されている。また、ＤＶＤ録画再生装置１０１は、液晶テレビジョン装置３００と接続されており、ディスクローダ１０２により再生されたＤＶＤ（図示せず）を後述する出力部１１４により液晶テレビジョン装置３００に出力するように構成されている。また、ＤＶＤ録画再生装置１０１は、インターネットラジオ番組の音声データを液晶テレビジョン装置３００に出力するためのインターネットラジオ部２００を内部に含んでいる。また、液晶テレビジョン装置３００は、表示部３０１と、スピーカー３０２と、制御部３０３（図７参照）とを含んでいる。なお、ディスクローダ１０２は、本発明の「ディスク駆動部」の一例であり、液晶テレビジョン装置３００は、本発明の「表示装置」の一例である。
【００５０】
また、ＤＶＤ録画再生装置１０１は、図７に示すように、ディスクローダ１０２、受光部１０３およびインターネットラジオ部２００と接続される制御部１１０を備えている。このＤＶＤ録画再生装置１０１の制御部１１０には、メモリ１１１と、受信部１１２と、送信部１１３と、出力部１１４と、チューナ１１６とが接続されている。受信部１１２と送信部１１３とは、それぞれ、ＬＡＮ接続部１１５を介してＬＡＮケーブル５０ａに接続されている。また、ＬＡＮ接続部１１５は、ＬＡＮケーブル５０ａを介してルータ３０のＬＡＮポート３０ａと接続されている。また、インターネットラジオ部（インターネット接続部）２００は、受信部１１２、送信部１１３およびＬＡＮ接続部１１５により構成されている。また、チューナ１１６は、テレビジョン放送を受信するように構成されており、チューナ１１６により受信されたテレビジョン放送を、ディスクローダ１０２によりＤＶＤ（図示せず）に書き込み可能なように構成されている。
【００５１】
また、メモリ１１１には、受信部１１２および出力部１１４が接続されている。また、制御部１１０は、受信部１１２により受信された音声データを出力部１１４により出力される前に一時的にメモリ１１１にバッファ（蓄積）するとともに、バッファされた音声データを、出力部１１４により出力されるデータ量だけ連続的に音声データをメモリ１１１から出力部１１４に移すように構成されている。これにより、配信サーバ９０から受信部１１２により音声データを受信しながら、リアルタイムで液晶テレビジョン装置３００のスピーカー３０２に出力させることが可能となる。
【００５２】
また、メモリ１１１には、ユーザが予めインターネットラジオ部２００と接続される電気機器（台所照明２０、電子レンジ２１、エアコン２２および電気カーペット２３）の状態とインターネットラジオ番組の検索条件（キーワード）とを対応させて設定を行うためのテーブルが記憶されている。また、制御部１１０は、メモリ１１１に記憶されたテーブルに関するデータを液晶テレビジョン装置３００の表示部３０１に表示させるように出力部１１４を制御するように構成されている。これにより、液晶テレビジョン装置３００の表示部３０１にメニュー画面を出力することが可能であるとともに、リモコン１５０により、インターネットラジオ番組の検索条件を設定することが可能となる。
【００５３】
なお、第２実施形態のその他の構成および効果については、第１実施形態と同様である。
【００５４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５５】
たとえば、上記第１および第２実施形態では、本発明のインターネットラジオ機能を有する電子機器の一例として、インターネットラジオ装置およびＤＶＤ録画再生装置を示したが、本発明はこれに限らず、インターネットと接続可能で、かつ、インターネットラジオ機能を有する電子機器であれば、インターネットラジオ装置およびＤＶＤ録画再生装置以外の電子機器にも適用可能である。
【００５６】
また、上記第２実施形態では、本発明のインターネットラジオ機能を有するディスク装置の一例として、ＤＶＤ録画再生装置を示したが、本発明はこれに限らず、ＤＶＤ再生装置、ＣＤプレイヤ、ブルーレイディスクレコーダおよびハードディスクレコーダなど、インターネットと接続可能で、かつ、インターネットラジオ機能を搭載可能であれば、ＤＶＤ録画再生装置以外のディスク装置にも適用可能である。
【００５７】
また、上記第１および第２実施形態では、インターネットラジオ装置およびＤＶＤ録画再生装置とＬＡＮケーブルを介して接続される電気機器の例として、台所照明、電子レンジ、エアコンおよび電気カーペットを示したが、本発明はこれに限らず、制御部とメモリとＬＡＮ接続部とを備え、ＬＡＮケーブルを介してインターネットラジオ装置およびＤＶＤ録画再生装置と相互通信可能であれば、照明、電子レンジ、エアコンおよび電気カーペット以外の電気機器に適用してもよい。
【００５８】
また、上記第１および第２実施形態では、受信部により受信されたインターネットラジオ番組の音声データをリアルタイムで出力する例を示したが、本発明はこれに限らず、音声データを包括的にダウンロードした後に、出力するように構成してもよい。
【符号の説明】
【００５９】
１  インターネットラジオ装置（電子機器）
３  スピーカー（出力部）
１０、１１０  制御部
１２、１１２  受信部
１４  音声データ処理部（出力部）
１５  ＬＡＮ接続部
６０  ローカルエリアネットワーク
９０  配信サーバ
１０１  ＤＶＤ録画再生装置（ディスク装置）
１０２  ディスクローダ（ディスク駆動部）
１１４  出力部
３００  液晶テレビジョン装置（表示装置）
【図１】
2010271432.tif 000003
【図２】
2010271432.tif 000004
【図３】
2010271432.tif 000005
【図４】
2010271432.tif 000006
【図５】
2010271432.tif 000007
【図６】
2010271432.tif 000008
【図７】
2010271432.tif 000009